(57)【要約】【課題】  セパレート・デリバリーによるコンテンツの配信において、ユーザの誤解を招かないようにする。【解決手段】  ダウンロード画面においてコンテンツを選択してダウンロード記述子を受け取り、画面Ａで確認の上、そのコンテンツのダウンロードを指示すると、画面Ｂに移行し、メディアオブジェクトのダウンロードが開始される。この段階では、画面上にキャンセルボタンが表示されており、これを操作することによりコンテンツの取得を中止することができる。メディアオブジェクトの受信が完了すると、権利オブジェクトの配信要求となるダウンロード完了通知を送出して画面Ｃに移行する。権利オブジェクトはプッシュにより配信されるため、ダウンロード完了通知を送信した後はその配信をキャンセルすることができない。そこで、画面Ｃではキャンセルボタンの表示を行わず、キャンセルできないことを明示する。【選択図】  図４
2006107003.tif 000002
【特許請求の範囲】
【請求項１】
セパレート・デリバリーによるコンテンツの配信を受けることができる移動端末装置であって、
表示部と、キー入力部と、制御部とを有し、
前記制御部は、前記コンテンツのダウンロードが終了し、該コンテンツに関する権利オブジェクトを配信するサーバに対してダウンロード完了通知を送出した後は、前記表示部に該コンテンツの取得をキャンセルするための操作ボタンを表示させないようにしたことを特徴とする移動端末装置。
【請求項２】
さらに、前記制御部は、前記コンテンツに関する権利オブジェクトを配信するサーバに対してダウンロード完了通知を送出した後、該権利オブジェクトの受信が完了するまで又は所定の時間が経過するまでの期間は、前記キー入力部における電源オフキー及び終話キーの操作を無効とするものであることを特徴とする請求項１記載の移動端末装置。
【請求項３】
セパレート・デリバリーによるコンテンツの配信を受けることができる移動端末装置であって、
表示部と、キー入力部と、制御部とを有し、
前記制御部は、前記コンテンツに関する権利オブジェクトを配信するサーバに対して該権利オブジェクトの配信要求を送出した後は、前記表示部に該権利オブジェクトの取得をキャンセルするための操作ボタンを表示させないようにしたことを特徴とする移動端末装置。
【請求項４】
さらに、前記制御部は、前記コンテンツに関する権利オブジェクトを配信するサーバに対して該権利オブジェクトの配信要求を送出した後、該権利オブジェクトの受信が完了するまで又は所定の時間が経過するまでの期間は、前記キー入力部における電源オフキー及び終話キーの操作を無効とするものであることを特徴とする請求項３記載の移動端末装置。
【発明の詳細な説明】
【技術分野】
【０００１】
本発明は、セパレート・デリバリーによるコンテンツの配信を受けることができる携帯電話などの移動端末装置に関する。
【背景技術】
【０００２】
近年、いわゆる第３世代と呼ばれる携帯電話サービスが導入されつつあるが、この第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
このようなＷＡＰ対応端末においては、OMA DRM（OMA Digital Rights Management）version 1.0に準拠した著作権管理が行われる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である（非特許文献２）。
【０００３】
OMA DRM ver1.0においては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
(1) フォワード・ロック（Forward Lock）は、取得したコンテンツの転送を許容しない方式である。
(2) コンバインド・デリバリー（Combined Delivery）は、フォワード・ロック方式のコンテンツに権利（使用権の設定）を付加して配信する方式である。
(3) セパレート・デリバリー（Separate Delivery）は、暗号化されたコンテンツ（Media Object：メディアオブジェクト，ＭＯ）と、権利＋鍵（暗号化を解除するための鍵）部分（Rights Object：権利オブジェクト，ＲＯ）とを別々に配信する方式である。ここで、メディアオブジェクトはウェブからのダウンロード、コンテンツが格納されたメモリカードからの取得、メールへの添付などの各種方法により移動端末に配信され、権利オブジェクトはＷＡＰプッシュにより配信される。移動端末上ではメディアオブジェクトと権利オブジェクトが揃って初めてそのコンテンツを利用することが可能となる。
【非特許文献１】The WAP Forum Ltd., "WAP 2.0 Technical White Paper", [on line], (2002.01.18), ［平成１６年４月２８日検索］，インターネット<URL: http://www.wapforum.org/what/WAPWhite_Paper1.pdf>
【非特許文献２】Open Mobile Alliance, "OMA Digital Rights Management version 1.0", [on line], [平成１６年４月２８日検索］，インターネット<URL: http://www.openmobilealliance.org/tech/release.html>
【発明の開示】
【発明が解決しようとする課題】
【０００４】
上述のように、セパレート・デリバリーにおいては、暗号化されたコンテンツ（ＭＯ）と、そのコンテンツを復号するために必要な鍵（Rights Object：ＲＯ）とが、分離して移動端末に送信される。
例えば、ユーザがウェブコンテンツを閲覧していてあるコンテンツを購入したいという決定ボタンを押すと、（１）サーバが移動端末に対してコンテンツを送信する、（２）移動端末は、コンテンツを完全に取得し終わったとき、サーバに対してダウンロード完了通知（InstallNotify）を送出する、（３）該ダウンロード完了通知を受け取ったサーバは移動端末に対して権利オブジェクトをＷＡＰプッシュにより送信する、（４）移動端末が権利オブジェクトを取得し終わった後にサーバが課金処理を行う（有料コンテンツの場合）、という一連の手順で配信が行われる。
【０００５】
しかしながら、OMA DRM ver1.0では、上記（２）の終了後から（３）の送信前の期間（以下、「期間Ａ」という。）にあっては、移動端末のユーザインターフェース（ＵＩ）に関して制限をする旨を規定していない。したがって、期間Ａにあっては、移動端末のユーザは、ＵＩ上でコンテンツのダウンロードをキャンセルする操作ができてしまわないとも限らない。ところが、そのようなＵＩ上でキャンセルが行われても、サーバは、通常通り、移動端末に対して権利オブジェクトを送信して課金処理が行われる。すなわち、ＯＭＡの規定では、実際には課金処理がなされるのにもかかわらず、移動端末のユーザに対してコンテンツ購入のキャンセルがあたかもできているかのような印象を与えてしまうという問題がある。
そこで、本発明は、コンテンツの購入又は取得に関し、ユーザに誤解を与えることのない移動端末装置を提供することを目的としている。
【課題を解決するための手段】
【０００６】
上記目的を達成するために、本発明のセパレート・デリバリーによるコンテンツの配信を受けることができる移動端末装置は、権利オブジェクトを配信するサーバに対してコンテンツのダウンロード完了通知又は権利オブジェクト配信要求を送出した後は、表示部にコンテンツの取得をキャンセルするための操作ボタンを表示させないようにしたことを特徴としている。
また、コンテンツのダウンロード完了通知又は権利オブジェクト配信要求を送出した後、該権利オブジェクトの受信が完了するか又は所定の時間が経過するまでの期間は、電源オフキー及び終話キーの操作を無効とするようにしたことを特徴としている。
【発明の効果】
【０００７】
本発明の移動端末装置によれば、セパレート・デリバリーにおいて、コンテンツ又は権利オブジェクトの取得を中止することができる間は表示画面上にキャンセルボタンが表示されているが、中止することができない段階に移行すると、表示画面上にキャンセルボタンが表示されなくなるため、ユーザはコンテンツ又は権利オブジェクトの取得をキャンセルする操作を行うことができなくなる。
したがって、実際にはコンテンツ又は権利オブジェクトの取得をキャンセルすることができない期間において、キャンセルがあたかもできるような印象をユーザに与えることがなくなる。
また、コンテンツのダウンロード完了通知又は権利オブジェクト配信要求を送出した後、権利オブジェクトの受信が完了するか又は所定の時間が経過するまでの期間は、電源オフキーと終話キーの操作も無効とすることにより、ユーザが任意に権利オブジェクトの受信を停止することができないようすることができる。
【発明を実施するための最良の形態】
【０００８】
図１は、本発明の移動端末装置（以下、単に「移動端末」という。）のハードウェア構成の概略を示すブロック図である。
本発明の移動端末１は前述したＷＡＰ対応端末であり、図１に示すように、アンテナ２１、無線受信部や無線送信部などからなる無線通信部２２、音声信号処理やベースバンド信号処理などを行う信号処理部２３、送話用マイク２４、受話用スピーカ２５、この移動端末全体の制御を行う制御部２６、制御プログラムやコンテンツのダウンロードを行うプログラムなどの各種プログラム及び各種データを記憶するメモリ２７、表示部２８、キー入力部２９などから構成されている。この移動端末１のハードウェア構成は通常の移動端末と同様である。
【０００９】
図２は、このような本発明の移動端末１が接続される移動体通信システムの要部構成を示すブロック図である。
この図において、１は前記移動端末（ＭＳ）、２は該移動端末１が収容される移動体通信網（３Ｇモバイルネットワーク）、３は前記移動体通信網２とインターネットなどのＩＰネットワークとのゲートウエイ（ＧＧＳＮ：Gateway GPRS Support Node）、４は前記移動端末１に対してショートメッセージを配信するショートメッセージ・サービスセンター（ＳＭＳＣ：Short Message Service Center）である。
５は前記移動端末１との間で用いられるWAP2.0プロトコルとＨＴＴＰ（HyperText Transfer Protocol ）とを変換するノードであるＷＡＰゲートウエイ（ＷＡＰ−ＧＷ：WAP-Gateway）、６はＷＡＰプッシュやメール通知の配信などのプッシュサービスを実行するプッシュ・プロキシ・ゲートウエイ（ＰＰＧ：Push Proxy Gateway）である。
７は前記ＷＡＰ−ＧＷ５とインターネット１１との間に設けられ、移動端末１からのリクエストを仲介するウェブ・ゲートウエイ（ＷＧＷ：Web Gateway）であり、サービスの登録の状態の管理や情報量に対する課金に関する処理の機能も有している。
【００１０】
８、９及び１０はＤＲＭ利用サービスを提供するためのＤＲＭプラットフォームを構成するサーバ群である。
ここで、８は、ＤＲＭコンテンツのトランザクション管理を行うＤＲＭトランザクション管理サーバ（ＤＲＭＴＭＳ：DRM Transaction Management Server）であり、移動端末１からのリクエストの制御や移動端末１との通信における状態管理などを行う。
また、９は登録された権利情報に基づいて権利オブジェクト（ＲＯ）の生成・管理を行うライセンスサーバ（ＬＳ：License Server）、１０はコンテンツ情報の登録及び付随する権利情報の登録などを制御するパッケージングサーバ（ＰＳ：Packaging Server）である。
【００１１】
１１はインターネット、１２はコンテンツを提供するサーバ（ＣＰ：Contents Provider / Contents Partner）である。
ＣＰ１２には、コンテンツをＤＲＭ対応形式に変換する一連の処理（パッケージング）を行うためのパッケージング・ツール（Packaging Tool）が備えられており、前記ＰＳ１０などと連携してコンテンツのパッケージングを行い、コンテンツファイル（メディアオブジェクト）を作成することができるようになされている。このコンテンツファイルは、ＤＲＭコンテンツフォーマット（ＤＣＦ：DRM Content Format）のファイル（以下、「ＤＣＦファイル」と呼ぶ。）とされており、暗号化されていないヘッダ部分と暗号化されたコンテンツ部分から構成されている。
【００１２】
移動端末１からコンテンツの配信要求があったときに、セパレート・デリバリーにおいては、コンテンツ（メディアオブジェクトＭＯ）とその権利オブジェクト（ＲＯ）は別々に配信される。
メディアオブジェクト（ＭＯ）は、前記ＣＰ１２から、ＯＭＡにより規定されたダウンロード方式（ＯＭＡダウンロード）によりＨＴＴＰを用いてダウンロードされる。この方式では、コンテンツのダウンロードの前に、ダウンロード記述子（Download Descriptor：ＤＤ）を取得することで、事前にどのようなコンテンツを取得するのかを通知することができる。また、ダウンロード完了後、任意のＵＲＬに対してダウンロード完了通知（Install Notify）を送出することができる。
一方、権利オブジェクト（ＲＯ）は、前記ＤＲＭＴＭＳ８の制御のもとに、前記ライセンスサーバＬＳ９からＰＰＧ６に送られ、該ＰＰＧ６からＳＭＳＣ４を介して、当該移動端末１にＳＭＳ（Short Message Service）と同様の方式でプッシュ配信される（ＷＡＰプッシュ）。このように、権利オブジェクトは、移動体通信事業者が設置しているライセンスサーバからＷＡＰプッシュによらなければ取得することができないようになされている。
セパレート・デリバリーには、移動端末１がコンテンツ（メディアオブジェクト）と権利オブジェクトを一連の処理により受信する場合と、コンテンツは予め取得しており、権利オブジェクトのみの配信を受ける場合の２通りの場合がある。
【００１３】
図３は、前記移動端末１がコンテンツとその権利オブジェクトを一連の処理により受信する場合のシーケンスを示す図であり、図４はそのときの移動端末１の表示部２８に表示される画面の遷移の一例を示す図である。この画面の制御は前記制御部２６により行われる。
移動端末１がＷＡＰシーケンスにしたがってインターネット１１に接続しており、ブラウザなどを使用してＣＰ１２にアクセスし、ＣＰ１２が提供しているコンテンツのダウンロード画面（図４の４１）から、コンテンツのダウンロードを選択すると、そのコンテンツ（ＭＯ）をダウンロードするためのダウンロード記述子（ＤＤ：Download Descriptor）の取得要求「Request (download descriptor)」がネットワーク（ＮＷ）に送出される（図３の（１））。
このリクエストは、前記ＷＡＰ−ＧＷ５で中継されて前記ＤＲＭＴＭＳ８に転送され、ＤＲＭＴＭＳ８は、該要求されたコンテンツをダウンロードするためのダウンロード記述子を作成して、前記移動端末に送信する（「Response (download descriptor)」）。
【００１４】
移動端末１では、該ダウンロード記述子を受信すると、該ダウンロード記述子を解析する（図３の（２））。
ダウンロード記述子は、そのコンテンツ（ＭＯ）に関するメタデータ（コンテンツの名称、サイズ、タイプ、バージョンなど）、そのコンテンツの存在場所を示すＵＲＬ（ObjectURI）及びステータスレポートの通知先であるＵＲＬ（InstallNotifyURI）などが記述されているファイルである。なお、ObjectURIはＣＰ１２内のアドレスとされており、InstallNotifyURIはＤＲＭＴＭＳ８内のアドレスとされている。
ダウンロード記述子を解析した結果、サイズなどの問題でその移動端末１にダウンロードできないなどのエラーが検出された場合には、そのダウンロード記述子を破棄して、InstallNotifyURIにエラーを通知して、「Request (download descriptor)」を送出する前の画面（図４のダウンロード画面４１）に戻る。
【００１５】
正常の場合には、該ダウンロード記述子に基づいてそのコンテンツの内容を示す画面Ａ（図４の４２）を表示し、ユーザにダウンロードの可否を問い合わせる（図３の（３））。
ここで、ユーザがＮＯボタンを操作した場合には、ダウンロードを行わずに、前記ダウンロード画面４１に戻る。
ユーザがＹＥＳボタンを操作した場合には、前記ダウンロード記述子に含まれているそのコンテンツの存在場所を示すＵＲＬ（ObjectURI）に対し、そのコンテンツ（ＭＯ）の取得要求「Request (Media Object)」を送出する（図３の（４））。
そして、前記画面Ａ（図４の４２）に代えて、コンテンツを取得中であることを示す画面Ｂ（図４の４３）を表示する。この画面Ｂには、図示するように、コンテンツ取得処理の進捗状態を示す表示（この例では、プログレスバー）やキャンセルボタンも表示されている。
【００１６】
該コンテンツ取得要求「Request (Media Object)」は、そのコンテンツ（ＭＯ）が保存されているＣＰ１２に転送され、該ＣＰ１２から要求されたコンテンツを含む「Response (Media Object)」がＨＴＴＰを使用して当該移動端末１に返送される（ＯＭＡダウンロード）。
このとき、前記画面Ｂ（図４の４３）において、ダウンロードの進捗状況が表示される。ここで、ユーザがダウンロードを中止したいときには、表示されているキャンセルボタンを操作することにより、コンテンツのダウンロードをキャンセルすることができる。キャンセルボタンが操作されたときには、コンテンツのダウンロードを中止して、前記画面Ａ（図４の４２）に戻る。
移動端末１では、コンテンツ（ＭＯ）を受信後、自機で使用できない無効なオブジェクトであるか否かを判定し（図３の（５））、無効なオブジェクトであるときは、InstallNotifyURIに対してエラーであることを通知し、「Request (download descriptor)」送出前のダウンロード画面（図４の４１）に戻る。
【００１７】
無効なオブジェクトでないときは、InstallNotifyURIに対して、ダウンロード完了通知「Request (InstallNotifyURI)」（Install Notify Sucess）を送出する（図３の（６））。
このとき、前記制御部２６は表示画面を画面Ｂ（図４の４３）から画面Ｃ（図４の４４）に変化させる。画面Ｂと画面Ｃとを比較すると明らかなように、画面Ｃでは、キャンセルボタンが表示されなくなっており、この画面Ｃのときには、ユーザがコンテンツの配信を中止しようとしても、その操作をすることができないようになされている。
【００１８】
前記ダウンロード完了通知「Request (InstallNotifyURI)」は前記ＤＲＭＴＭＳ８（InstallNotifyURIに記述されている）に送られ、ＤＲＭＴＭＳ８は、応答「Response (InstallNotify)」を返すとともに、前記ライセンスサーバ（ＬＳ）９からそのメディアオブジェクトに対応する権利オブジェクト（ＲＯ）を受け取り、前記移動端末１にプッシュするために該権利オブジェクトを前記ＰＰＧ６に送信する。該権利オブジェクトを受け取ったＰＰＧ６は、該権利オブジェクトをＳＭＳＣ４を介して、当該移動端末１にプッシュ配信（ＷＡＰプッシュ）する。
このように、前記ダウンロード完了通知「Request (InstallNotifyURI)」がトリガとなって、前記ＤＲＭＴＭＳ８により権利オブジェクトをプッシュ配信するための処理が開始される。プッシュ配信（ＷＡＰプッシュ）処理が起動されると、前記移動端末１からその処理を中止することはできないため、前述のように、画面Ｃ（図４の４４）では、キャンセルボタンを表示しないようにしている。
【００１９】
前記移動端末１は、前記ＤＲＭＴＭＳ８からの応答「Response (InstallNotify)」を受信した後（（図３の（７））、ＷＡＰプッシュにより送信された権利オブジェクトを受信すると（図３の（８））、配信状況通知「Delivery Receipt (Rights Object)」を作成して前記ＰＰＧ６に送出する（図３の（９））。
そして、権利オブジェクトの受信が完了しているときには、その旨を示すとともにそのコンテンツの再生を行うかどうかを選択する画面Ｄ（図４の４５）を表示して、ユーザに受信の完了を通知する（図３の（１０））。一方、設定された時間内に前記権利コンテンツの受信が完了しなかったときは、その旨を示す画面Ｅ（図４の４６）が表示される。
前述のように、権利オブジェクト（ＲＯ）の配信は、コンテンツ（ＭＯ）の配信の後に、コンテンツとは異なる方法で行われるため、配信完了までに遅延が生じる可能性がある。そこで、後述するように権利オブジェクトがプッシュ配信されるまでに要する予定時間が指定されており、その時間が経過しても権利オブジェクトの受信が完了しなかったときには、画面Ｅ（４６）のように、権利オブジェクトの受信が未完了であった旨を表示するようにしている。
【００２０】
なお、前記ＰＰＧ６は、前記移動端末１からの配信状況通知「Delivery Receipt (Rights Object)」を受信すると、その内容に応じた配信結果通知「Delivery Report」を作成して、前記ＤＲＭＴＭＳ８に送信し、前記ＤＲＭＴＭＳ８は、権利オブジェクトの配信に成功している場合にのみ、前記ＷＧＷ７に対して課金通知を送信して課金処理を行うようになされている。
【００２１】
図５は、前記ＤＲＭＴＭＳ８からコンテンツ（ＭＯ）のダウンロード記述子を受信した後の前記制御部２６の処理の流れを示すフローチャートである。なお、図中（Ａ）〜（Ｅ）は、図４中の対応する画面が表示されていることを示している。
前述のように、前記ＤＲＭＴＭＳ８からダウンロード記述子「Response (download descriptor)」を受信すると、当該メディアオブジェクトを受信するＯＭＡダウンロード処理（図３における（３），（４）の処理）が実行される（ステップＳ１）。このとき、画面Ａから画面Ｂに変更される。
そして、前述のように、ＣＰ１２からメディアオブジェクト「Response (Media Object)」を受信すると、該メディアオブジェクト受信時のＨＴＴＰヘッダにX-Oma-Drm-Separate-Deliveryヘッダが含まれているか否かを判定する（ステップＳ２）。
このX-Oma-Drm-Separate-Deliveryヘッダは、通常のメディアオブジェクトのダウンロードと異なり、権利オブジェクトが別途プッシュされるセパレート・デリバリーによるダウンロードであることを示すためにＤＣＦファイルを含むＨＴＴＰレスポンスに付加されるＨＴＴＰヘッダであり、その中に、権利オブジェクトが移動端末１にプッシュ配信されるまでに要する予測時間を指定することができるものである。
【００２２】
このステップＳ２の判定結果がＮＯであるときには、通常のＯＭＡダウンロードであるので、該ＯＭＡダウンロード処理を継続する（ステップＳ１０）。
X-Oma-Drm-Separate-Deliveryヘッダが含まれているときは、ステップＳ３に進み、ダウンロード完了通知「Request (InstallNotifyURI)」（InstallNotifySucess）を送出するか否かを判定する。これは、前記図３の（５）と同様の処理である。ダウンロード完了通知を送出しないときには、前記ステップＳ１０に進む。
ダウンロード完了通知を送出するときは、ダウンロード完了通知を送出して、ステップＳ４に進む。このとき、表示画面を画面Ｂからキャンセルボタンが消去されている画面Ｃに変更する。
【００２３】
ステップＳ４では、権利オブジェクトの受信が完了したか否かを判定する。権利オブジェクトの受信が完了したときは、該権利オブジェクトを保存し（ステップＳ７）、前記画面Ｄを表示して、ユーザに権利オブジェクトの受信完了を通知する（ステップＳ８）。
権利オブジェクトの受信が完了しないうちに前記X-Oma-Drm-Separate-Deliveryヘッダで指定されている予測時間が経過したか否かを判定し（ステップＳ５）、該予測時間を経過したときには、ステップＳ６に進み、権利オブジェクトが未受信であることを示す画面Ｅを表示して、ユーザにその旨を通知する。
このステップＳ４とＳ５の期間は、前記画面Ｃを表示させておき、ユーザがキャンセル操作を行うことができないようにしている。
【００２４】
このように、この実施の形態においては、コンテンツの受信処理中の期間において、コンテンツの取得をキャンセルすることができる期間はキャンセルボタンを表示してコンテンツの取得をキャンセルすることを可能とし、キャンセルが不可能となる、メディアオブジェクトの受信が完了し権利オブジェクトの配信を要求するダウンロード完了通知を送出した後は、キャンセルボタンを表示しないようにしているため、ユーザにコンテンツの取得のキャンセルが可能であるかのような誤解を与えることがない。
【００２５】
次に、移動端末が権利オブジェクトのみの配信を受ける場合について説明する。この場合には、ウェブからのダウンロード、メールへの添付、あるいは、コンテンツを保存したメモリカードなどを介して、コンテンツ（メディアオブジェクト）が移動端末１に保存されているものとする。
図６は前記移動端末１が権利オブジェクトのみの配信を受けるときのシーケンスを示す図、図７はそのときの移動端末１における表示部２８の表示画面の遷移の一例を示す図である。
【００２６】
コンテンツを提供するＣＰ１２のウェブページなどをブラウザで閲覧しているなどして権利オブジェクトを取得するコンテンツを選択する対象コンテンツ選択画面（図７の５１）が表示部２８に表示されているものとする。ここで、ユーザが権利オブジェクトを取得したいコンテンツを選択すると、そのコンテンツを提供しているＣＰ１２に対して「Request (Rights Issuer URI)」が送信される（図６の（１））。
これに応じてＣＰ１２から移動端末１に権利オブジェクト取得画面のデータを含む応答「Response (Rights Object)」が送信される。
移動端末１の制御部２６は、該応答「Response (Rights Object)」を受信すると（図６の（２））、前記表示部２８に権利オブジェクト取得画面（図７の５２）を表示する。
ここで、ユーザがその権利オブジェクトの取得を選択すると、該権利オブジェクト取得画面における取得を示す選択要素（アンカー、図７の５２に示した例では、「Buy Activation」の文字列）にリンクされているＵＲＩ（前述したＤＲＭＴＭＳ８が指定されている。）に対して、権利オブジェクト配信要求（「Request (Rights Object)」が送信される（図６の（３））。このとき、前記表示部２８の表示画面は、図７に５３で示す画面Ｆとなる。この画面Ｆ（図７の５３）にはキャンセルボタンが表示されているので、この段階でユーザがキャンセルボタンを操作すれば、前記権利オブジェクト取得画面５２に戻ることができる。
【００２７】
前記ＤＲＭＴＭＳ８は、該権利オブジェクト配信要求（「Request (Rights Object)」）を受信すると、その権利オブジェクト配信要求に含まれているサービスＩＤなどのチェックを行い、応答「Responce (Rights Object)」を前記移動端末１に返す。そして、このチェックの結果、問題がないときは、前述と同様に、前記ＤＲＭＴＭＳ８は前記ライセンスサーバ９からその権利オブジェクトを受け取り、前記移動端末１にプッシュするために該権利オブジェクトを前記ＰＰＧ６に送信する。また、このときの前記応答（「Responce (Rights Object)」）のＨＴＴＰヘッダには、前述したX-Oma-Drm-Separate-Deliveryヘッダが含まれている。
移動端末１では、前記応答「Responce (Rights Object)」を受信すると、権利オブジェクト受信状態に移行する（図６の（４））。このとき、前記表示部２８の表示画面は、図７に５４で示す画面Ｇに変更される。図示するように、この画面Ｇ（図７の５４）にはキャンセルボタンが表示されていないため、ユーザは、この段階では、権利オブジェクトの取得をキャンセルする操作を行うことができない。
【００２８】
前述のように、前記ＤＲＭＴＭＳ８から権利オブジェクトを受け取ったＰＰＧ６から、その権利オブジェクト（「RO Delivery (Rights Object)」）が前記移動端末１に配信される。
前述と同様に、前記移動端末１は、権利オブジェクトを受信すると（図６の（５））、配信状況通知「Delivery Receipt (Rights Object)」を前記ＰＰＧ６に送出するとともに、その旨を示す画面Ｈ（図７の５５）を表示部２８に表示する（図６の（６））。一方、設定された時間内に権利オブジェクトの受信が完了しなかったときは、その旨を示す画面Ｉ（図７の５６）を表示部２８に表示する。
なお、前記配信状況通知「Delivery Receipt (Rights Object)」を受信したＰＰＧ６は、前述と同様に、その内容に応じた配信結果通知「Delivery Report」を作成して前記ＤＲＭＴＭＳ８に送信し、権利オブジェクトの配信に成功している場合にのみ、前記ＷＧＷ７に対して課金通知が送られることとなる（有料の場合）。
【００２９】
図８は、前記応答（「Responce (Rights Object)」）のＨＴＴＰヘッダに、X-Oma-Drm-Separate-Deliveryヘッダが含まれている場合における前記制御部２６の処理の流れを示すフローチャートである。
前述のように、前記画面Ｆ（図７の５３）において、ＤＲＭＴＭＳ８から受信した応答（「Responce (Rights Object)」）にX-Oma-Drm-Separate-Deliveryヘッダが含まれている場合には、前記移動端末１は権利オブジェクトの配信待ち状態に移行し（図６の（４））、該X-Oma-Drm-Separate-Deliveryヘッダで指定されている時間内に権利オブジェクトの受信が完了したか否かを判定する（ステップＳ１１，Ｓ１２）。
そして、該予定時間内に権利オブジェクトの受信が完了しなかったときは（ステップＳ１２がＮＯ）、権利オブジェクトが未受信である旨を示す画面Ｉ（図７の５６）を表示する（ステップＳ１３）。
一方、前記X-Oma-Drm-Separate-Deliveryヘッダで指定されている予定時間内に権利オブジェクトの受信が完了したときは（Ｓ１１がＹＥＳ）、該受信した権利オブジェクトを前記メモリ２７などに保存する（ステップＳ１４）。そして、そのときにエラーが発生しなければ（ステップＳ１５がＮＯ）、前記画面Ｈ（図７の５５）を表示しユーザに権利オブジェクトの受信が完了したことを通知する（ステップＳ１６）。一方、エラーが生じたときは（ステップＳ１５がＹＥＳ）、その旨をユーザに通知する（ステップＳ１７）。そして、ウェブページの閲覧の処理を継続する（ステップＳ１８）。
【００３０】
このように、この実施の形態においては、セパレート・デリバリーにおいて権利オブジェクトのみを受信するときに、権利オブジェクト配信要求を送信した後は、表示部に該権利オブジェクトの取得をキャンセルするための操作ボタンを表示しないようにしているため、ユーザに権利オブジェクトの取得をキャンセルすることができるかのような誤解を与えることがない。
【００３１】
なお、上述の各実施の形態においては、コンテンツ又は権利オブジェクトのダウンロード画面において画面Ｃのようにキャンセルボタンを表示しないようにしていたが、これに加えて、前記キー入力部２９（図１）に設けられている電源オフキー及び終話キーの操作も無効となるように制御するとより効果的である。
すなわち、前記権利オブジェクトを配信するサーバ（ＤＲＭＴＭＳ８）に対して前記ダウンロード完了通知「Request (InstallNotifyURI)」又は前記権利オブジェクト配信要求「Request (Rights Object)」を送出した後、該権利オブジェクトの受信が完了するまで又は前記所定の時間（前記X-Oma-Drm-Separate-Deliveryヘッダで指定されている予定時間）が経過するまでの期間においては、キー入力部２９に設けられている電源オフキー及び終話キーの操作信号が入力されても、その信号を無効にするように制御する。
これにより、前記期間において、ユーザがコンテンツ又は権利オブジェクトの取得をキャンセルしようとして、電源オフキーや終話キーを操作したとしても、その操作を無効とすることにより、キャンセルすることができないことを示すことが可能となる。
【図面の簡単な説明】
【００３２】
【図１】本発明の移動端末装置の構成を示すブロック図である。
【図２】本発明の移動端末装置が接続される移動体通信システムの全体構成を示す図である。
【図３】コンテンツとその権利オブジェクトを一連の処理で受信するときのシーケンスを示す図である。
【図４】コンテンツとその権利オブジェクトを一連の処理で受信するときの画面表示の遷移の一例を示す図である。
【図５】コンテンツとその権利オブジェクトを一連の処理で受信するときの移動端末装置における処理の流れを示すフローチャートである。
【図６】権利オブジェクトのみを受信するときのシーケンスを示す図である。
【図７】権利オブジェクトのみを受信するときの画面表示の一例を示す図である。
【図８】権利オブジェクトのみを受信するときの移動端末装置における処理の流れを示すフローチャートである。
【符号の説明】
【００３３】
１：移動端末装置、２：移動体通信網、３：ＧＧＳＮ、４：ＳＭＳＣ、５：ＷＡＰゲートウエイ（ＷＡＰ−ＧＷ）、６：プッシュ・プロキシ・ゲートウエイ（ＰＰＧ）、７：ウェブ・ゲートウエイ（ＷＧＷ）、８：ＤＲＭトランザクション管理サーバ（ＤＲＭＴＭＳ）、９：ライセンスサーバ（ＬＳ）、１０：パッケージングサーバ（ＰＳ）、１１：インターネット、１２：コンテンツ提供サーバ（ＣＰ）、２１：アンテナ、２２：無線通信部、２３：信号処理部、２４：マイク、２５：スピーカ、２６：制御部、２７：メモリ、２８：表示部、２９：キー入力部
【図１】
2006107003.tif 000003
【図２】
2006107003.tif 000004
【図３】
2006107003.tif 000005
【図４】
2006107003.tif 000006
【図５】
2006107003.tif 000007
【図６】
2006107003.tif 000008
【図７】
2006107003.tif 000009
【図８】
2006107003.tif 000010